(57)【要約】【課題】被読み取り面を撮像する読取装置を提供する。【解決手段】読取装置１００は、透明の開口カバー１１５で覆われた開口部１１１ａを有する筐体１１０と、筐体１１０内部に配置されたカメラ１５０と、筐体内部に配置され外部と通信するＩＣアンテナ１２０と、を備え、開口カバー１１５は、カメラ１５０の画角内に位置し、ＩＣアンテナ１２０は、カメラ１５０の画角外に位置するものであり、被読み取り面を撮像する読み取り装置として有効である。【選択図】図４
2020018019.tif 000002
【特許請求の範囲】
【請求項１】
透明の開口カバーで覆われた開口を有する筐体と、
前記筐体内部に配置された撮像部と、
前記筐体内部に配置され外部と通信する通信用アンテナと、を備え、
前記開口カバーは、前記撮像部の画角内に位置し、前記通信用アンテナは、前記撮像部の画角外に位置する、
読取装置。
【請求項２】
前記筐体内部において前記開口カバーを照明する読取用照明部とをさらに備え、
前記読取用照明部は、前記撮像部の画角外に位置する、
請求項１に記載の読取装置。
【請求項３】
前記通信用アンテナは、前記撮像部よりも前記開口カバーの近くに配置されている、
請求項１または請求項２に記載の読取装置。
【請求項４】
前記通信用アンテナは、前記撮像部よりも前記開口カバーの近くに配置されており、
前記読取用照明部は、前記通信用アンテナと前記撮像部との間に配置されている、
請求項２に記載の読取装置。
【請求項５】
前記開口カバーの外周に沿って設けられた誘導灯をさらに備えた、
請求項１から請求項４いずれか１項に記載の読取装置。
【請求項６】
前記誘導灯は、前記撮像部または前記通信用アンテナの状況に応じて、色を変更または点滅する、
請求項５に記載の読取装置。
【請求項７】
前記筐体の開口の形状は、矩形であり、
前記誘導灯の形状はＬ字状であり、前記筐体の開口の角に配置されている、
請求項５または請求項６に記載の読取装置。
【請求項８】
前記開口カバーを挟んで赤外線発光部と赤外線受光部をさらに備えた、
請求項１から７いずれか１項に記載の読取装置。
【発明の詳細な説明】
【技術分野】
【０００１】
本開示は、被読み取り面を撮像する読取装置に関する。
【背景技術】
【０００２】
特許文献１は、読取対象物の紙面の画像を取得する読取装置を開示する。この読取装置は、載置面と、載置面を照明する光源と、読取対象物の紙面を撮像するカメラとを備える。これにより、読取対象物の紙面に変形が生じても良好な画像を得ることができる。光源は、被読取ページの正面領域の外側に配置されている。被読取ページは、縁部の近傍に位置する縁近傍コードを含む。光源は、赤外光ＬＥＤ列、および白色光ＬＥＤ列を含む。縁近傍コードに対応した近傍コード位置の赤外光ＬＥＤ、および白色光ＬＥＤの一方が、赤外光ＬＥＤ、および白色光ＬＥＤの他方よりも、載置面における垂直方向において被読取ページの近くに配置されている。これにより、読取対象物の紙面に変形が生じても良好な画像を得ることができる。
【先行技術文献】
【特許文献】
【０００３】
【特許文献１】特開２０１０−２５１９３０号公報
【発明の概要】
【発明が解決しようとする課題】
【０００４】
本開示は、被読み取り面を撮像する読取装置を提供する。
【課題を解決するための手段】
【０００５】
本開示における読取装置は、透明の開口カバーで覆われた開口を有する筐体と、筐体内部に配置された撮像部と、筐体内部に配置され外部と通信する通信用アンテナと、を備え、開口カバーは、撮像部の画角内に位置し、通信用アンテナは、撮像部の画角外に位置する。
【発明の効果】
【０００６】
本開示における読取装置は、被読み取り面を撮像するのに有効である。
【図面の簡単な説明】
【０００７】
【図１】図１は、実施の形態１における読取装置の外観を示す斜視図である。
【図２】図２は、実施の形態１における読取装置の分解斜視図である。
【図３】図３は、実施の形態１における読取装置を上面から見た模式図である。
【図４】図４は、実施の形態１における読取装置の断面を説明する模式図である。
【図５】図５は、実施の形態１における読取装置の断面の一部を拡大した模式図である。
【図６】図６は、実施の形態１における読取装置を上面から見たときの断面を説明する模式図である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより請求の範囲に記載の主題を限定することは意図されていない。
【００１０】
近年、空港等における入国の審査において、入国管理の職員によらず渡航者が自らパスポートを読み取る装置を利用する形態が増加している。この場合、初めてその装置を利用する渡航者を想定する必要があり、操作方法が分かりやすいことが要求される。本開示は、これらの事情に鑑み、ユーザーの利用が容易な読取装置を提供する。
【００１１】
（実施の形態１）
以下、図１〜６を用いて、実施の形態１に係る読取装置１００を説明する。
【００１２】
［１−１．構成］
図１は、実施の形態１に係る読取装置１００を示す全体斜視図である。図２は、実施の形態１に係る読取装置１００の分解斜視図である。
【００１３】
読取装置１００は、パスポートなどの被読み取り面を有する帳票を撮像し、文字や画像を認識するための装置である。また、読取装置１００は、パスポートといったＩＣを含む帳票を読み取る場合、パスポートのＩＣと通信することができる。
【００１４】
図１および図２に示すように、実施の形態１に係る読取装置１００は、トップカバー１１１（筐体カバーの一例）と、ボトムカバー１１２と、支持フレーム１１３と、カメラベース１１４と、開口カバー１１５とからなる筐体１１０を有する。トップカバー１１１は、開口部１１１ａを有し、開口カバー１１５を支持する。ボトムカバー１１２は、底面に開口を有する箱状の部材であり、トップカバー１１１を支持する。支持フレーム１１３は、ボトムカバー１１２を支持する。カメラベース１１４は、支持フレーム１１３に固定され、帳票を撮影するカメラ１５０（撮像部の一例）を支持する。開口カバー１１５は、開口部１１１ａに嵌め込まれた状態でトップカバー１１１に支持される。すなわち、筐体１１０は、開口カバー１１５で覆われた開口を有する。開口カバー１１５は、例えばガラスやプラスチックのような透明の部材である。
【００１５】
図２に示すように、読取装置１００は、その内部にＩＣアンテナ１２０（通信用アンテナの一例）と、誘導灯１３０（誘導用照明部の一例）と、照明灯１４０（読取用照明部の一例）と、カメラ１５０とを備える。ＩＣアンテナ１２０は、パスポートなどのＩＣと通信するアンテナである。読取装置１００が、パスポートといったＩＣを含む帳票を読み取る場合、ＩＣアンテナ１２０は、パスポートのＩＣに記録された顔画像や国籍、氏名、生年月日、旅券番号など旅券面の記載事項の情報を取得するために、帳票と通信する。ＩＣアンテナ１２０は、トップカバー１１１の直下に配置されたアンテナ基板１２１に実装される。アンテナ基板１２１は、開口を有する環状の基板である。アンテナ基板１２１の開口は、トップカバー１１１の開口部１１１ａの開口よりも大きい。誘導灯１３０は、複数の光源１３１（図３参照）を含み、開口カバー１１５上に適切に帳票を置くことができるようにユーザーを誘導する。本実施の形態の誘導灯１３０を構成する光源１３１として、発光ダイオード（Ｌｉｇｈｔ  Ｅｍｉｔｔｉｎｇ  Ｄｉｏｄｅ）を用いている。しかしながら光源１３１は発光ダイオードに限定されない。光源１３１として、レーザーダイオード（Ｌａｓｅｒ  Ｄｉｏｄｅ）や有機発光ダイオード（Ｏｒｇａｎｉｃ  Ｌｉｇｈｔ  Ｅｍｉｔｔｉｎｇ  Ｄｉｏｄｅ）、その他の光源を用いることができる。照明灯１４０は、帳票を撮影する際にその読取面を照明する。すなわち、照明灯１４０は、筐体１１０内部において開口カバー１１５を照明する。照明灯１４０は、カメラ１５０よりも開口カバー１１５の近くに配置されている。
【００１６】
図６に示すように、照明灯１４０は、４つの照明ユニット１４１からなる。各照明ユニット１４１は、アレイ状（線状）に配置された複数の光源からなる。４つの照明ユニット１４１は、それぞれ、ボトムカバー１１２の４つの側壁１１２ａに沿って配置されている。カメラ１５０は、撮像素子と、複数のレンズ有する撮像光学系と、を含み、カメラ１５０の画角内に位置する開口カバー１１５上に載置される帳票（対象物の一例）を撮像する。カメラ１５０は、上面視で４つの照明ユニット１４１の中心に位置する。換言すると、照明ユニット１４１は、上面視でカメラ１５０を囲うように配置される。
【００１７】
図３は、実施の形態１の読取装置１００を上面から見た図であって、便宜上内部の部材を透視した状態で描いている。図３に示すように、誘導灯１３０は、読取装置１００の対角方向の４か所に配置されている。誘導灯１３０を構成する光源１３１は、アンテナ基板１２１に実装されている。読取装置１００のトップカバー１１１は、トップカバー１１１の四隅に、誘導灯１３０の光を通過させるための開口部である誘導灯部１１１ｂ（誘導部の一例）を有している。すなわち、誘導灯部１１１ｂは、トップカバー１１１の開口部１１１ａの対角の４か所に設けられている。アンテナ基板１２１に実装された誘導灯１３０は、誘導灯部１１１ｂから筐体１１０外部に光を発する。実施の形態１に係る誘導灯１３０は、開口カバー１１５の４つの角の外側において略Ｌ字状に配置される。すなわち、誘導灯１３０の形状はＬ字状であり、誘導灯１３０は筐体１１０の開口の角に対応した位置に配置されている。これにより、ユーザーは、４か所の略Ｌ字状の誘導灯１３０を、帳票を載置すべき領域を示す枠として認識する。そのため、ユーザーに対してパスポートなどの帳票を置く位置を開口カバー１１５の面内に案内することができる。また、誘導灯１３０は、帳票の撮像やＩＣの情報の読み取りなどの作業の進行状況を視覚的に分かるように、発光する色を変更したり、点滅したりする。
【００１８】
誘導灯１３０の複数の光源１３１は、ＩＣアンテナ１２０への影響を考え、開口部１１１ａの全周囲に配置しないようにしている。また、全周囲に配置しなくても視覚的に読み取り位置を明確に示せるよう、複数の光源１３１をアレイ状に配置している。複数の光源１３１をアレイ状に配置することで、離れた場所からでも十分に認識できる明るさも確保することが可能となる。なお、複数の光源１３１の配置は、帳票を載せる位置を案内できる配置であればよく、アレイ状の配置に限られない。すなわち、帳票を載せる開口カバー１１５を囲うように誘導灯１３０が光ることができればよい。具体的には、矩形の開口カバー１１５の一辺以外の三辺のみに複数の光源１３１を配置してもよい。また、複数の光源１３１を、開口カバー１１５の対角の内、向かい合う２つの対角の外側のみに略Ｌ字状に配置してもよい。また、複数の光源１３１を、開口カバー１１５の対角の内、１つの対角の外側のみに略Ｌ字状に配置してもよい。また、複数の光源１３１を、開口カバー１１５の四辺に平行に直線状に配置してもよい。また、複数の光源１３１を、開口カバー１１５の四辺の内、向かい合う二辺のみに平行に直線状に配置してもよい。
【００１９】
誘導灯１３０の複数の光源１３１を、ＩＣアンテナ１２０と同じアンテナ基板１２１に実装することで、コスト削減を可能とする。また、トップカバー１１１の周辺の低背化やデザインのシンプル化を図ることも可能とする。
【００２０】
誘導灯部１１１ｂは、光源１３１の光がトップカバー１１１を通過して筐体１１０外部に進むための開口部である。誘導灯部１１１ｂは、筐体１１０の外部に進む誘導灯１３０の光を遮らない、また熱が篭らない、さらにトップカバー１１１の加重強度が保たれる程度の大きさを有している。トップカバー１１１の上部には、赤外線発光部１６１が配置されている。詳細は後述するが、赤外線発光部１６１は、開口カバー１１５上に帳票が配置されたかどうかを識別するためのセンサーを構成する。
【００２１】
図４は、実施の形態１に係る読取装置１００の断面図である。
【００２２】
支持フレーム１１３の最も下部に設けられたカメラ１５０の画角内に、開口カバー１１５が位置する。これにより、帳票を開口カバー１１５に載置することで、カメラ１５０は、帳票の被読み取り面を撮像することができる。
【００２３】
図５は、図４に示す読取装置１００の断面の一部を拡大した模式図である。
【００２４】
ボトムカバー１１２の内部において、アンテナ基板１２１の下には、ＩＣアンテナ１２０（図２参照）に磁場の影響がない程度に距離を設けて照明ユニット１４１が配置されている。照明ユニット１４１は、ボトムカバー１１２内部の側壁１１２ａに沿って配置される。照明ユニット１４１は、カメラ１５０の撮像時に発光する。照明ユニット１４１は、照明ユニット１４１の発光面１４１ａが開口カバー１１５の方向を向くように、角柱状の照明灯支持部１４２に取り付けられている。照明灯支持部１４２は、照明ユニット１４１の光が直接にカメラ１５０に到達しないように、遮光壁の役割を持つ。すなわち、照明灯支持部１４２は、照明ユニット１４１の発光面１４１ａに対して交差する遮光面１４２ａを有する。遮光面１４２ａには、反射防止コートなどを施して迷光の発生を抑制することもできる。
【００２５】
図４に示すように、実施の形態１に係る読取装置１００は、ボトムカバー１１２内部に、赤外線発光部１６１の光を受光する赤外線受光部１６２を備えている。開口カバー１１５の上に帳票が載置されることで、赤外線発光部１６１の光が遮られる。これをきっかけに、読取装置１００は読み取りなどの各種動作を開始する。
【００２６】
支持フレーム１１３の外周には、ＩＣアンテナ１２０が取得した情報を外部に出力するＩ／Ｏ回路１７０や制御部１８０などが配置されている。制御部１８０は、誘導灯１３０、照明灯１４０、カメラ１５０、赤外線発光部１６１、赤外線受光部１６２などを制御する。制御部１８０は、例えばＣＰＵ（Ｃｅｎｔｒａｌ  Ｐｒｏｃｅｓｓｉｎｇ  Ｕｎｉｔ）やメモリなどを含む。
【００２７】
図５に示すように、アンテナ基板１２１に実装された誘導灯１３０は、トップカバー１１１の誘導灯部１１１ｂの開口内に位置する。換言すると、誘導灯１３０は、開口カバー１１５に対してトップカバー１１１を介して離間した位置に設けられている。すなわち、誘導灯１３０と開口カバー１１５との間に透明でないトップカバー１１１が位置するため、誘導灯１３０の光が、開口カバー１１５の方向に出射されない。これにより、帳票を撮像する際に、誘導灯１３０の光が帳票の被読み取り面に入射しない。そのため、迷光となることを防ぐことができる。
【００２８】
アンテナ基板１２１の開口幅Ｗ２は、トップカバー１１１の開口幅Ｗ１よりも大きい。すなわち、アンテナ基板１２１に形成されている孔の幅は、筐体１１０の開口の幅よりも大きい。これにより、照明ユニット１４１の光がアンテナ基板１２１に当たることなく開口カバー１１５に入射する。そのため、帳票を読み取る際にアンテナ基板１２１の影が生じない。
【００２９】
トップカバー１１１の上には、化粧板２００が配置される。化粧板２００は、トップカバー１１１を覆う乳白色の樹脂で構成される。化粧板２００は、誘導灯部１１１ｂが位置する箇所に、誘導灯１３０からの光を拡散透過させる拡散部２０１を有する。拡散部２０１は、化粧板２００の他の部分よりも厚みが薄い形状をしている。これにより、誘導灯１３０の光を透過させつつ、乳白色の樹脂を透過することで誘導灯１３０の光が拡散され、輝度のムラを緩和させる効果が得られる。また化粧板２００を設けることで、デザイン性を良くするだけでなく、筐体１１０への防塵防汚効果、衝撃などに対する耐久性を高める効果が得られる。
【００３０】
［１−２．効果等］
以上のように、本開示の読取装置１００は、筐体１１０と、カメラ１５０と、誘導灯１３０と、照明灯１４０と、を備えて構成される。筐体１１０は、開口カバー１１５と、トップカバー１１１とボトムカバー１１２と支持フレーム１１３とを含む。これにより、ユーザーに対して読取装置１００の操作を視覚的に案内することが可能となる。
【００３１】
また、本開示の読取装置１００の誘導灯１３０は、開口カバー１１５の周囲に配置されている。これにより、開口カバー１１５上に適切に被読み取り面を置くことができるようにユーザーを視覚的に誘導することができる。
【００３２】
また、本開示の読取装置１００の誘導灯１３０は、開口カバー１１５に対して離間した位置に配置される。これにより、カメラ１５０が被読み取り面を撮像する際に、誘導灯１３０の光が被読み取り面に入射しにくい。そのため、高品位な撮影が可能となる。
【００３３】
（他の実施の形態）
以上のように、本出願において開示する技術の例示として、実施の形態１を説明した。しかしながら、本開示における技術は、これに限定されず、変更、置き換え、付加、省略などを行った実施の形態にも適用できる。また、上記実施の形態１で説明した各構成要素を組み合わせて、新たな実施の形態とすることも可能である。
【００３４】
そこで、以下、他の実施の形態を例示する。
【００３５】
実施の形態１では、読取装置１００の筐体１１０の一例として、別体のトップカバー１１１とボトムカバー１１２と支持フレーム１１３を用いて説明した。しかし、読取装置１００の筐体１１０を、トップカバー１１１、ボトムカバー１１２および支持フレーム１１３で一体的に構成してもよい。
【００３６】
また、実施の形態１では、誘導灯１３０は、アレイ状に配置された複数の光源１３１を有していると説明した。しかし、誘導灯１３０は、開口カバー１１５の外側において開口カバー１１５の領域を示す枠の形状となるように構成されていれば、導光部材や面発光する光源を用いて構成されていてもよい。
【００３７】
また、実施の形態１では、ＩＣアンテナ１２０と誘導灯１３０を同一のアンテナ基板１２１に実装したが、それぞれ別の基板に実装してもよい。
【００３８】
また、実施の形態１では、化粧板２００が樹脂である例を用いて説明したが、化粧板２００は拡散部２０１を有していれば樹脂に限られない。すなわち、化粧板２００が金属の場合、化粧板２００は、誘導灯１３０の光を拡散透過する領域を有する。これにより、誘導灯１３０の光を均一にすることができる。
【００３９】
なお、上述の実施の形態は、本開示における技術を例示するためのものであるから、請求の範囲またはその均等の範囲において種々の変更、置き換え、付加、省略などを行うことができる。
【産業上の利用可能性】
【００４０】
本開示は、帳票などの画像情報およびＩＣチップ情報を読み取るための装置に適用可能である。具体的には、パスポートの情報を読み取るパスポートリーダーなどに、本開示は適用可能である。
【符号の説明】
【００４１】
１００    読取装置
１１０    筐体
１１１    トップカバー
１１１ａ  開口部
１１１ｂ  誘導灯部（誘導部の一例）
１１２    ボトムカバー
１１３    支持フレーム
１１４    カメラベース
１１５    開口カバー
１２０    ＩＣアンテナ
１２１    アンテナ基板
１３０    誘導灯（誘導用照明部の一例）
１３１    光源
１４０    照明灯（読取用照明部の一例）
１４１    照明ユニット
１４２    照明灯支持部
１４２ａ  遮光面
１５０    カメラ（撮像部の一例）
１６１    赤外線発光部
１６２    赤外線受光部
１７０    Ｉ／Ｏ回路
１８０    制御部
２００    化粧板
２０１    拡散部
【図１】
2020018019.tif 000003
【図２】
2020018019.tif 000004
【図３】
2020018019.tif 000005
【図４】
2020018019.tif 000006
【図５】
2020018019.tif 000007
【図６】
2020018019.tif 000008